(57)【特許請求の範囲】
【請求項１】
左右方向の中央部にベルトが縦に取り付けられ、このベルトによって中央部の縦の長さが０．９１４(ｍ)に形成され、且つ上辺は水平状で下辺は帯片で縁取りされて中央部の下端を頂点にほぼ山形状に形成され、又上記のベルトの下部に中央部に巻装するセンターストラップを通すための通し孔が形成され、センターストラップは長さ調節機能付きのバックルと、コートに付設されているストラップ取付具に引っ掛けるためのフック部とを備え、このフック部がストラップ取付具に引っ掛けられて中央部の下端がコートに当接するよう張設されることを特徴とするテニス用ネット。
【請求項２】
請求項１記載のテニス用ネットであって、コート面からセンターストラップの通し孔の上辺までの寸法が、コートに付設されているストラップ取付具のコート面からの高さと、このストラップ取付具に引っ掛けるためセンターストラップに取り付けられているフック部の高さとを足した寸法より、大きく選定されていることを特徴とするテニス用ネット。
【発明の詳細な説明】
【０００１】
【発明の属する技術分野】
本発明は、テニス用ネットに関し、更に詳しくは左右方向の中央部の高さを規則通りの状態で、簡単、迅速に張ることができるよう形成したテニス用ネットに関するものである。
【０００２】
【従来の技術】
この種のネットは、両端の高さを、１．０７（ｍ）に、中央部の高さを、０．９１４（ｍ）の状態に張ることが規則で決められている。
この場合、従来は、図４に示されるように、左右方向の中央部の高さを、例えばシングルススティック（ダブルスコートを使ってシングルスの試合を行う場合に、ネットポストの代用として使用するもので、これにはコート面から０．９１４（ｍ）の箇所に印が付けられている）やメジャー等を使用して測り、センターストラップａの長さを調節してコートｂのストラップ取付具ｃにフック部ｄを引っ掛けて張設しているのが通例である。
【０００３】
【発明が解決しようとする課題】
従って従来品の場合は、ネットを張る際に、シングルススティック等の測定用具を用意しなければならない、という煩わしさがあった。
又ストラップ取付具の種類（形態）は、通常、コートによって異なり、従ってコート面からの高さ（引き出し高さ）も異なるのが通例であるため、従来は、測定用具でネットの中央部の高さを測りながら、しかもセンターストラップの長さを調節し、フック部をストラップ取付具に引っ掛けなければならなかった。
それ故従来品を使用すると、ネットの張設作業が煩雑で、張設作業に手間暇がかかる、という問題点があった。
【０００４】
又従来は、センターストラップをネットの中央部に巻装し、フック部をストラップ取付具に取り付けると、通常、図４Ｂに示されるように、ネットの下側がセンターストラップでたくし上げられた。
従って従来品を使用すると、練習時やゲーム時に、この箇所からボールが通り抜け、ネットで確実にボールを捕集できない、という問題点があった。
【０００５】
本発明は、このような従来の問題点に鑑み、提案されたものである。
従って本発明の技術的課題は、測定用具を伴うことなく、ネットを簡単、迅速に張ることができ、又ネットの中央部の下端からボールがくぐり抜けることを防止でき、練習時や試合時にネットで確実にボールを捕集できるよう形成したテニス用ネットを提供することにある。
【０００６】
【課題を解決するための手段】
本発明は、上記の課題を解決するために、次のような技術的手段を採る。
【０００７】
即ち本発明は、図１等に示されるように、左右方向の中央部１にベルト２が縦に取り付けられ、このベルト２によって中央部１の縦の長さが０．９１４(ｍ)に形成され、且つ上辺は水平状で下辺は帯片４で縁取りされて中央部１の下端を頂点にほぼ山形状に形成され、又上記のベルト２の下部に中央部１に巻装するセンターストラップ５を通すための通し孔６が形成され、センターストラップ５は長さ調節機能付きのバックル７と、コート８に付設されているストラップ取付具９に引っ掛けるためのフック部１０とを備え、このフック部１０がストラップ取付具９に引っ掛けられて中央部１の下端がコート８に当接するよう張設されることを特徴とする（請求項１）。
【０００８】
ここで、中央部１の縦の長さが、０．９１４（ｍ）に形成されているのは、ルール上、ネットは中央部１が、０．９１４（ｍ）の高さに張られることが要求されていることによる。
【０００９】
而して本発明の場合、図３に示されるように、コート８の面からセンターストラップ５の通し孔６の上辺までの寸法Ｈ１が、コート８に付設されているストラップ取付具９のコート８の面からの高さと、このストラップ取付具９に引っ掛けるためセンターストラップ５に取り付けられているフック部１０の高さとを足した寸法Ｈ２より、大きく選定されているのが好ましい（請求項２）。
【００１０】
なぜならこれによると、フック部１０を下方に引くことでベルト２を、センターストラップ５内で弛ませたり縮ませたりすることなく、丈の短い部分２ａの下端を、円滑、容易にコート８の面に当接させることができるからである。具体的には本発明の場合、寸法Ｈ１は、通し孔６の高さが、通常、約２（ｃｍ）、ベルト２の丈の短い部分２ａの高さが約１５（ｃｍ）で合計約１７（ｃｍ）、寸法Ｈ２は、ストラップ取付具９やフック部１０の種類等によるが、通常、９〜１３（ｃｍ）に選定される。
【００１１】
【発明の実施の形態】
以下、本発明の好適な一実施形態を添付図面に従って説明する。
【００１２】
本発明は、図１等に示されるように、左右方向の中央部１にベルト２が縦に縫い付けられている。このベルト２は、上辺の縁取り用帯片３の色に合わせてこの実施形態では白色に着色され、中央部１の高さをプレーヤーに明確に表示させることができるよう形成されている。
【００１３】
又ネットの中央部１は、ベルト２によってルール上の規格通りの高さである、０．９１４（ｍ）に、且つ上辺は水平状で下辺は帯片４で縁取りされ、中央部１の下端を頂点に、ほぼ山形状（二等辺三角形状）になるよう、傾斜状に形成されている。
【００１４】
又上記のベルト２は、その下部に、センターストラップ５の通し孔６が横長状に形成されている。センターストラップ５は、長さ調節機能付きのバックル７と、コート８に付設されているストラップ取付具９に引っ掛けるための例えば環状のフック部１０とを備えて形成されている。
【００１５】
Ｈ１（図３参照）は、コート８の面からセンターストラップ５の通し孔６の上辺までの高さである。又Ｈ２は、コート８に付設されているストラップ取付具９のコート８の面からの高さと、このストラップ取付具９に引っ掛けるためセンターストラップ５に取り付けられているフック部１０の高さとを足した寸法である。寸法Ｈ１は、寸法Ｈ２より大きく選定され、この実施形態では寸法Ｈ１が１７（ｃｍ）、寸法Ｈ２が１２（ｃｍ）に選定されている。
【００１６】
次に本発明の作用を説明する。
【００１７】
先ず使用者は、ネットの左右位置をポスト１１（図２参照）に夫々取り付け、ネットをポスト１１に張設する。次に使用者は、センターストラップ５のフック部１０をコート８のストラップ取付具９に引っ掛け、バックル７とは反対側の解放端５ａ（図３参照）をベルト２の通し孔６に通し、ネットの上を回して下に返し、バックル７に通す。
【００１８】
次に使用者は、センターストラップ５を引き、ネットの中央部１の下端、換言するとベルト２の丈の短い部分２ａの下端をコート面に当接させ、その後バックル７を締めて固定する。これにより本発明の場合は、ネットの中央部１の高さが、自動的に０．９１４（ｍ）に設定され、又中央部１の下端がコート面に当接し、この箇所に隙間が生じない。
【００１９】
【発明の効果】
以上説明したように本発明は、左右方向の中央部にベルトを縦に取り付け、このベルトによって中央部の縦の長さを０．９１４(ｍ)に形成し、且つ上辺は水平状で下辺は帯片で縁取りして中央部の下端を頂点にほぼ山形状に形成し、又上記のベルトの下部にセンターストラップの通し孔を形成したものである。
【００２０】
従って本発明品によれば、シングルススティック等の測定用具を必要とすることなく、ネットをルール通りの高さに簡単、迅速に張ることができる。
又本発明の場合は、左右方向の中央部の下端がコート面に当接し、この箇所に隙間が生じない。従って本発明品を使用すれば、この箇所からボールが通り抜けることを防止でき、練習時や試合時にボールをネットで確実に捕集できる。
【図面の簡単な説明】
【図１】本発明ネットの好適な一実施形態を示し、Ａは一部を切欠した要部正面図、Ｂはネット張設時の要部拡大正面図である。
【図２】同上ネットの張設時の一部を切欠した正面図である。
【図３】図２のIII−III線における断面図である。
【図４】従来例を示し、Ａは一部を切欠した要部正面図、Ｂはネット張設時の要部正面図である。
【符号の説明】
１    左右方向の中央部
２    ベルト
５    センターストラップ
６    通し孔
【図１】
0003807678.tif 000002
【図２】
0003807678.tif 000003
【図３】
0003807678.tif 000004
【図４】
0003807678.tif 000005